(57)【特許請求の範囲】
【請求項１】
躯体と、フィルムとを有し、
前記フィルムが、前記躯体に展張されることにより外部から仕切られた空間を形成し、
前記フィルムが、セルロースアシレート樹脂を前記フィルムの総質量に対して６０質量％以上含有し、透湿度が６００ｇ／ｍ2／２４ｈ以上であり、厚みが８０〜２００μｍのセルロースフィルムであり、
霧化した水を前記空間内に噴霧する噴霧装置を有する、農業ハウス。
【請求項２】
前記噴霧装置が、霧化した水を前記空間内に噴霧することにより前記空間を冷却する細霧冷却装置である、請求項１に記載の農業ハウス。
【請求項３】
前記空間内の空気を外部に排出する換気手段を有さない、請求項１または２に記載の農業ハウス。
【請求項４】
前記セルロースアシレート樹脂のアセチル基置換度が２．５〜３．０である、請求項１〜３のいずれか１項に記載の農業ハウス。
【発明の詳細な説明】
【技術分野】
【０００１】
本発明は、農業ハウスに関する。
【背景技術】
【０００２】
塩化ビニル、ポリエチレン、ポリエチレン−酢酸ビニル共重合体、ポリエチレンテレフタレート（ＰＥＴ）、ポリエチレン−テトラフルオロエチレン共重合体などを主原料とする透明フィルムを用いた農業ハウスは、夏季の日照時などには、日光による日射熱でハウス内が４０℃以上の高温になることが知られている。
【０００３】
そのため、夏季の日照時においては、ハウス内の空気をエアコンで冷却する方法や、細霧冷却装置（例えば、ミストファン、ミストクーラーなど）を用いてハウス内に水滴（細霧）を飛散させ、その気化熱により冷却する方法などが知られている。
【０００４】
ここで、前者の方法は、設備費や運転費が高いため一般的に普及していない。
また、後者の方法としては、水滴の気化により、ハウス内が高湿状態となるため、ハウス内の空気を換気する換気手段を用いることが一般的である。例えば、特許文献１には、「上部を透明な被覆材（２）で被覆してなるハウス本体（１）内を上下に通気可能な区画材（６）により天井側の上部室（２１）と栽培室となる下部室（２２）との上下２室に区画し、上記下部室（２２）の側面（１１）に防虫ネット（３）を張設し、上記上部室（２１）内を細霧冷房装置（７）により細霧冷房し、上記上部室（２１）内の空気をハウス外に排出する排気フアン（５）を有しているとともに、上記上部室（２１）内の空気を排気フアン（５）で強制排気することで、上記下部室（２２）内の空気が上記上部室（２１）内に吸引され続いて上記下部室（２２）内に外気が上記防虫ネット（３）を通して導入されるように構成している、ことを特徴とする植物栽培温室。」が記載されている（［請求項１］）。
【先行技術文献】
【特許文献】
【０００５】
【特許文献１】特開２０１４−１９８０３５号公報
【発明の概要】
【発明が解決しようとする課題】
【０００６】
本発明者らは、噴霧装置によりハウス内を冷却する方法について検討したところ、特許文献１などに記載された細霧冷房（冷却）を行う農業ハウスは、噴霧により上昇したハウス内の湿度を下げる観点から換気を行う必要があるため、細霧冷却と換気とを交互の行う煩わしさがあり、また、換気に伴い病虫害が流入してしまう問題があることを明らかにした。
【０００７】
そこで、本発明は、換気手段を必要とせず、病虫害の流入を抑制することができる農業ハウスを提供することを目的とする。
【課題を解決するための手段】
【０００８】
本発明者らは、上記課題を達成すべく鋭意検討した結果、セルロースアシレート樹脂を含有し、透湿度が６００ｇ／ｍ2／２４ｈ以上であり、厚みが８０〜２００μｍのフィルムを用いてハウスを構成することにより、換気手段を必要とせず、病虫害の流入を抑制することができることを見出し、本発明を完成させた。
すなわち、以下の構成により上記課題を達成することができることを見出した。
【０００９】
［１］  躯体と、フィルムとを有し、
フィルムが、躯体に展張されることにより外部から仕切られた空間を形成し、
フィルムが、セルロースアシレート樹脂を含有し、透湿度が６００ｇ／ｍ2／２４ｈ以上であり、厚みが８０〜２００μｍのセルロースフィルムであり、
霧化した水を空間内に噴霧する噴霧装置を有する、農業ハウス。
［２］  噴霧装置が、霧化した水を空間内に噴霧することにより空間を冷却する細霧冷却装置である、［１］に記載の農業ハウス。
［３］  空間内の空気を外部に排出する換気手段を有さない、［１］または［２］に記載の農業ハウス。
［４］  セルロースアシレート樹脂のアセチル基置換度が２．５〜３．０である、［１］〜［３］のいずれかに記載の農業ハウス。
【発明の効果】
【００１０】
本発明によれば、換気手段を必要とせず、病虫害の流入を抑制することができる農業ハウスを提供することができる。
【図面の簡単な説明】
【００１１】
【図１】図１は、本発明の農業ハウスの外観の一例を示す模式的な斜視図である。
【図２】図２は、本発明の農業ハウスの内部の一例を示す模式的な断面図である。
【図３】図３は、実施例１および比較例１で作製した農業ハウスにおいて細霧冷却装置を稼働させた際のハウス内部と外部（外気）における二酸化炭素濃度の変化を示すグラフである。
【発明を実施するための形態】
【００１２】
以下、本発明について詳細に説明する。
以下に記載する構成要件の説明は、本発明の代表的な実施態様に基づいてなされることがあるが、本発明はそのような実施態様に限定されるものではない。
なお、本明細書において、「〜」を用いて表される数値範囲は、「〜」の前後に記載される数値を下限値および上限値として含む範囲を意味する。
【００１３】
本発明の農業ハウスは、躯体と、フィルムとを有し、フィルムが躯体に展張されることにより外部から仕切られた空間が形成される農業ハウスである。
上記フィルムは、セルロースアシレート樹脂を含有し、透湿度が６００ｇ／ｍ2／２４ｈ以上であり、厚みが８０〜２００μｍのセルロースフィルムである。
また、本発明の農業ハウスは、霧化した水を空間内に噴霧する噴霧装置を有する。
【００１４】
図１は、本発明の農業ハウスの外観の一例を示す模式的な斜視図であり、図２は、本発明の農業ハウスの内部の一例を示す模式的な断面図である。
図１および図２に示すように、農業ハウス１０は、躯体２に展張されたフィルム１を有し、ハウスの空間内に霧化した水を噴霧する噴霧装置３および給水タンク４を有する。
また、図１および図２に示すように、農業ハウス１０は、躯体２に展張されたフィルム１により全面が覆われており、特許文献１（特開２０１４−１９８０３５号公報）の図１等に図示される吸気ファンや排気ファンを有していない。
【００１５】
本発明の農業ハウスは、上述した構成、特に、セルロースアシレート樹脂を含有し、透湿度が６００ｇ／ｍ2／２４ｈ以上であり、厚みが８０〜２００μｍのフィルムを用いてハウスを構成することにより、噴霧装置による冷却を利用した場合であっても、換気手段を必要とせず、病虫害の流入を抑制することができる。
このような効果を奏する理由は詳細には明らかではないが、上記フィルムの透湿度および厚みが上述した数値範囲内であることにより、噴霧装置により噴霧された水の少なくとも一部が、フィルムを通して外部に徐々に透過し、農業ハウス内の湿度が低下するためと考えられる。
以下に、本発明の農業ハウスを構成する躯体、フィルムおよび噴霧装置について詳述する。
【００１６】
〔躯体〕
本発明の農業ハウスが有する躯体は特に限定されず、従来公知のビニールハウスなどで用いられる骨材（例えば、鋼材、鋼管など）を用いることができる。
【００１７】
〔フィルム〕
本発明の農業ハウスが有するフィルム（以下、「農業ハウス用フィルム」ともいう。）は、上記躯体に展張されるフィルムであり、セルロースアシレート樹脂を含有し、透湿度が６００ｇ／ｍ2／２４ｈ以上であり、厚みが８０〜２００μｍのセルロースフィルムである。
【００１８】
ここで、透湿度とは、ＪＩＳ Ｚ ０２０８：１９７６の「防湿包装材料の透湿度試験方法（カップ法）」に記載された手法に従い、温度４０℃、相対湿度９０％の条件下で２４時間に通過した水蒸気の量（ｇ／ｍ2／２４ｈ）をいう。
【００１９】
＜セルロースアシレート樹脂＞
農業ハウス用フィルムが含有するセルロースアシレート樹脂は、特に限定されず、従来公知の、炭素数２〜２２の脂肪族アシル基（例えば、アセチル基、プロピオニル基、ブチリル基、ペンタノイル基など）を含むセルロースアシレート樹脂；無置換の芳香族アシル基を少なくとも１種を含むセルロースアシレート樹脂；等を用いることができる。
なお、セルロースアシレート樹脂は、上述した透湿度を保持する観点から、セルロースフィルムの総質量に対して６０〜９０質量％含有しているのが好ましく、６５〜８０質量％含有しているのがより好ましい。
【００２０】
セルロースアシレート樹脂の原料セルロースとしては、例えば、綿花リンター、ケナフ、木材パルプ（広葉樹パルプ、針葉樹パルプ）等が挙げられ、これらを１種単独で用いてもよく、２種以上を併用してもよい。
これらのうち、原料セルロースとしては、綿花リンターおよび／または木材パルプであることが好ましい。
また、綿花リンターおよび／または木材パルプは、α−セルロースを８０％以上含有することが好ましい。
更に、綿花リンターおよび／または木材パルプは、マンノース／キシロース＝０．３５／１〜３．０／１（モル比）であることが好ましく、その総含有量が０．０１〜５モル％であることが好ましい。
なお、綿花リンターと木材パルプとを併用する場合の混合比は５／９５〜９５／５であることが好ましい。
【００２１】
セルロースアシレート樹脂を構成するセルロースアシレートとは、セルロースのカルボン酸エステルのことであり、例えば、セルロースの低級カルボン酸エステルであるのが好ましい。
セルロースアシレートとしては、具体的には、例えば、セルロースアセテート、セルロースアセテートプロピオネート、セルロースアセテートブチレート、セルロースアセテートステアレート、セルロースアセテートベンゾエート等が挙げられる。
これらのうち、セルロースアセテートであるのが好ましく、具体的には、トリアセチルセルロース（ＴＡＣ）であるのがより好ましい。
【００２２】
このようなセルロースアシレートは、活性化工程（前処理工程）、アシル化工程（アセチルの場合は酢化工程）、熟成工程、沈殿工程、精製工程、乾燥工程、粉砕工程の中の組み合わせによって製造されたことが好ましい。
なお、セルロースアシレートの原料綿や合成方法については、発明協会公開技報（公技番号２００１−１７４５、２００１年３月１５日発行、発明協会）の７頁ないし１２頁にも詳細に記載されている。
【００２３】
また、セルロースアシレートの粘度平均重合度（ＤＰ）が２００〜７００であることが好ましい。
また、セルロースアシレートの重量平均分子量（Ｍｗ）と数平均分子量（Ｍｎ）との比（Ｍｗ／Ｍｎ）が１．０〜５．０であるのが好ましく、１．０〜４．０であるのがより好ましく、１．５〜３．０であるのが更に好ましい。
ここで、粘度平均重合度は、粘度法（ＡＳＴＭ Ｄ２８５７）による平均分子量をいい、重量平均分子量および数平均分子量は、それぞれ、ゲルパーミエーションクロマトグラフィー（ＧＰＣ）法により測定される分子量をいう。
【００２４】
また、セルロースアシレートは、残存酢酸量または炭素数３〜２２のカルボン酸の残存量が０．５質量％以下であることが好ましい。
【００２５】
また、セルロースアシレートは、アルカリ金属および／またはアルカリ土類金属の少なくとも一種を１ｐｐｂ〜１００００ｐｐｍ含有していることが好ましい。
【００２６】
また、セルロースアシレートは、２５℃でのアセトン抽出量が１５質量％以下であることが好ましい。
【００２７】
また、セルロースアシレートは、酸解離指数１．９３〜４．５の酸もしくは部分エステル化物、またはこれらの塩を含有することが好ましい。
【００２８】
また、セルロースアシレートの含水率が２質量％以下であることが好ましい。
また、セルロースアシレートのイエローネスインデックスが０．１〜１０であることが好ましい。
【００２９】
また、セルロースアシレートのヘイズが０．０５〜５％であることが好ましい。
また、セルロースアシレートの光線透過率が８０％以上であることが好ましい。
【００３０】
また、セルロースアシレートのＴｇが８０〜２００℃であることが好ましい。
また、セルロースアシレートの結晶化発熱量が２〜２０Ｊ／ｇであることが好ましい。
【００３１】
本発明においては、セルロースアシレートは、セルロースの水酸基への置換度が、下記式（１）および（２）を満足するものが好ましい。
２．０≦ＳＡ＋ＳＢ≦３．０  ・・・式（１）
０≦ＳＡ≦３．０  ・・・式（２）
ここで、式中、「ＳＡ」は、セルロースの水酸基の水素原子を置換しているアセチル基の置換度を表し、「ＳＢ」は、セルロースの水酸基の水素原子を置換している、アセチル基以外のアシル基の置換度を表す。
また、上記式（２）は、得られる本発明の農業ハウス用フィルムの加工性がより良好となる理由から、下記式（３）で表されるのが好ましい。
２．５≦ＳＡ≦３．０  ・・・式（３）
【００３２】
＜添加剤＞
本発明の農業ハウス用フィルムは、使用環境に応じて、可塑剤、マット剤、劣化防止剤、紫外線吸収剤等の添加剤を含有していてもよい。
可塑剤としては、具体的には、例えば、下記式（Ａ）で表されるポリエーテルエステルを含むエステル系可塑剤が好適に挙げられる。
【化１】
0006316183.tif 000002
（上記式（Ａ）中、Ｒ1は炭素数２〜６の２価の脂肪族炭化水素基を表し、Ｒ2は炭素数２〜４の２価の脂肪族炭化水素基を表し、Ｒ3は水素原子、炭素数１〜２０のアルキル基、炭素数６〜２０のアリール基、または、炭素数２〜２０のアシル基を表す。ｎは１〜６の数を表し、ｐは１〜５の数を表す。なお、ｐが２〜６である場合の複数のＲ1はそれぞれ同一であっても異なっていてもよく、複数のＲ2は同一であっても異なっていてもよく、複数のＲ3は同一であっても異なっていてもよい。また、上記式（Ａ）で表されるポリエーテルエステルが混合物である場合、ｎおよびｐは平均値を表すため、整数にならない場合もある。）
また、マット剤としては、有機または無機微粒子のいずれも使用することができる。
また、劣化防止剤としては、具体的には、例えば、酸化防止剤、過酸化物分解剤、ラジカル禁止剤、金属不活性化剤、酸捕獲剤、アミン等が挙げられる。なお、劣化防止剤は、沸点が２００〜４００℃の液体であるか、融点が１０〜２５０℃の固体１０〜２００℃であることが好ましい。
また、紫外線吸収剤としては、紫外線吸収性を発現できるもので、公知のものがいずれも使用でき、例えば、ベンゾトリアゾール系やヒドロキシフェニルトリアジン系の紫外線吸収剤が好適に挙げられる。
このような添加剤を添加する場合、後述するセルロースアシレート溶液（ドープ）中に含有せるのが好ましい。
【００３３】
農業ハウス用フィルムの厚みは、８０μｍ〜２００μｍであり、加工性が良好となる理由から、８０μｍ〜１５０μｍであるのが好ましく、８０μｍ〜１２０μｍであるのがより好ましい。
なお、農業ハウス用フィルムは、単層構造であっても積層構造であってもよいが、単層構造であるのが好ましい。
【００３４】
＜農業ハウス用フィルムの製造方法＞
農業ハウス用フィルムを製造する製造方法は特に限定されず、例えば、セルロースアシレートを有機溶剤に溶解させたドープ（セルロースアシレート溶液）を、流延ダイから、ケーシング内で回転するエンドレスベルトまたはドラムからなる支持体（以下、これらをまとめて「支持体」と略す。）上に流延し、支持体から剥ぎ取り、更に乾燥させてフィルムを形成する溶液製膜方法等が挙げられる。
【００３５】
（有機溶媒）
セルロースアシレートを溶解する有機溶剤としては、例えば、ベンゼン、トルエンなどの炭化水素系溶媒；メチレンクロライド、クロロベンゼンなどのハロゲン化炭化水素系溶媒；メタノール、エタノール、ジエチレングリコールなどのアルコール系溶媒；アセトンなどのケトン系溶媒；酢酸メチル、酢酸エチル、酢酸プロピルなどのエステル系溶媒；テトラヒドロフラン、メチルセロソルブなどのエーテル系溶媒；等が挙げられ、これらを１種単独で用いてもよく、２種以上を併用してもよい。
【００３６】
これらのうち、炭素原子数１〜７のハロゲン化炭化水素系溶媒を用いるのが好ましく、メチレンクロライドを用いるのがより好ましい。
また、セルロースアシレートの溶解性、支持体からの剥ぎ取り性、フィルムの機械強度等の観点から、メチレンクロライドの他に、炭素原子数１〜５のアルコールを併用することが好ましい。アルコールの含有量は、溶剤全体に対し２〜２５質量％が好ましく、５〜２０質量％がより好ましい。アルコールの具体例としては、メタノール、エタノール、ｎ−プロパノール、イソプロパノール、ｎ−ブタノール等が挙げられ、メタノール、エタノール、ｎ−ブタノール、あるいはこれらの混合物が好ましく用いられる。
【００３７】
（セルロースアシレート溶液の調製）
セルロースアシレート溶液の調製方法は、まず、セルロースアシレートと有機溶媒とを混合し、−１０〜５５℃でセルロースアシレートを溶解し、その溶解部、未溶解部および有機溶媒の混合物を０〜９７℃に加温して溶媒中にセルロースアシレートを完全に溶解させる調製方法であることが好ましい。
ここで、調製されるセルロースアシレート溶液は、必要に応じて濃縮してもよいが、セルロースアシレートが５〜４０質量％の濃度であることが好ましい。また、セルロースアシレート溶液は、４０℃での粘度が１０〜３０００Ｐａ・ｓであることが好ましい。
【００３８】
また、セルロースアシレートと有機溶媒とを混合する際に、セルロースアシレートの９０質量％以上が０．１〜４ｍｍの粒子を使用することが好ましい。
【００３９】
また、セルロースアシレート溶液は、流延する前に、０〜２００℃の温度でろ過するのが好ましい。
ここで、ろ過フィルターの平均孔径が１００μｍ以下であることが好ましく、また、ろ過流量が５０リットル／ｈｒ以上であることが好ましい。
【００４０】
（流延）
セルロースアシレート溶液を流延する工程は、その溶液温度が−１０〜５７℃であることが好ましく、その工程の温度が−１０〜５７℃で保温されていることが好ましい。
また、セルロースアシレート溶液を流延する支持体が、−２０〜４０℃の表面温度を有していることが好ましい。
【００４１】
（剥ぎ取り）
流延後の剥ぎ取りは、剥ぎ取り時の乾燥風の温度が２０〜２５０℃であることが好ましい。また、乾燥時の未乾燥の農業ハウス用フィルムが、テンターで保持されることが好ましい。
【００４２】
このような溶液製膜で作製される農業ハウス用フィルムは、少なくとも一軸流延中あるいは流延後に０．５〜３００％延伸されることが好ましい。また、流延時の速度が１〜２００ｍ／分であることが好ましい。
また、農業ハウス用フィルムは、フィルムの巻き取り姿が、長手方向に少なくとも１００ｍ以上であり、かつ幅方向が６０ｃｍ以上であることが好ましい。
【００４３】
本発明においては、上述したセルロースアシレートフィルムの製造方法は特に制限されず、上述した方法以外の公知の方法を適宜採用することができ、例えば、発明協会公開技報（公技番号２００１−１７４５、２００１年３月１５日発行、発明協会）の１２頁ないし３０頁に記載された方法等を適宜採用することができる。
【００４４】
〔噴霧装置〕
本発明の農業ハウスが有する噴霧装置は、霧化した水をハウスの空間内に噴霧する装置である。
噴霧装置としては、以下に詳述するように、霧化した水をハウスの空間内に噴霧することにより空間を冷却する細霧冷却装置であるのが好ましい。なお、噴霧装置は、後述する細霧冷却装置の他、ハウス内の植物への給水に利用する装置などが挙げられる。
【００４５】
＜細霧冷却装置＞
細霧冷却装置は、細霧冷房ファンとも呼ばれるものであり、例えば、ミストファン、ミストクーラーなど公知の装置を用いることができる。
また、細霧冷却装置としては、具体的には、例えば、特開２０１０−０６８７４０号公報に記載された「送風するファンと、このファンに細霧を送る噴霧手段とで構成した農作物の生育を制御する細霧冷却装置」や、特開２０００−１５７０６８号公報に記載された、「加圧空気を使用して液体を霧化する空気霧化型のノズルを使用して空間内に水を噴霧することができる装置」などが挙げられる。
なお、図２においては、給水タンク２が農業ハウス内に設置されているが、本発明においては、霧化した水をハウスの空間内に噴霧する手段（例えば、送風ファンやノズル）のみが農業ハウス内に設置されていればよい。
【００４６】
＜噴霧量＞
本発明においては、噴霧装置の噴霧量は、夏場の日中においても十分な冷却効果が得られ、また、結露の発生をより抑制することができる理由から、５〜３０ｇ／ｍ2・分であるのが好ましく、１０〜２０ｇ／ｍ2・分であるのがより好ましい。
【００４７】
本発明の農業ハウスは、上述した農業ハウス用フィルムを有しているため、換気手段を必要とせず、病虫害の流入を抑制することができる。
そのため、本発明の農業ハウスは、積極的な換気手段（例えば、ハウスの天井や側面に設けられる換気ファンなど）を設ける必要がないが、病虫害の流入をより抑制することができ、また、植物の生育に必要な環境を調整しやすくなる理由から、換気手段を有していないのが好ましい。なお、本発明においては、換気手段には、農業ハウス内で作業に従事する作業員のための出入口が含まれないが、この出入口についても、例えば、二重扉などにして、外部の空気がハウス内の空間に直接入り込まないようにするのが好ましい。
また、本発明の農業ハウスは、上述した農業ハウス用フィルムを有していることにより、後述する図３においても示す通り、ハウス内の二酸化炭素濃度を外気と同等に維持することができるため、植物の光合成に必要な二酸化炭素を外部から吹き込むなどの作業が不要となる。
【実施例】
【００４８】
以下に実施例に基づいて本発明をさらに詳細に説明する。以下の実施例に示す材料、使用量、割合、処理内容、処理手順等は、本発明の趣旨を逸脱しない限り適宜変更することができる。したがって、本発明の範囲は以下に示す実施例により限定的に解釈されるべきものではない。
【００４９】
［フィルム１の作製］
＜ドープの調製＞
下記の組成物をミキシングタンクに投入し攪拌して、各成分を溶解し、セルロースアセテート溶液を調製した。
--------------------------------------------------------------------------------
・セルロースアシレート（アセチル基置換度：２．８６，粘度平均重合度：３２０）
１００質量部
・シリカ粒子分散液（平均粒径１６ｎｍ）
“ＡＥＲＯＳＩＬ  Ｒ９７２”、日本アエロジル（株）製          １．３質量部
・メチレンクロライド                                            ６３５質量部
・メタノール                                                    １．３質量部
--------------------------------------------------------------------------------
【００５０】
＜フィルム１の形成＞
３０℃に温度調整されたドープを用いて、乾燥後膜厚が１００μｍとなるようにエンドレスステンレスベルト（支持体）上に均一に流延した。
流延後、ただちにベルト上のドープ膜（ウエブ）に１００℃の温風をあてて乾燥させた後、流延から１２０秒後に、剥離張力１５０Ｎ／ｍで剥離し、多数のロールで搬送張力１００Ｎ／ｍで搬送させながら乾燥させた。剥離部のエンドレスステンレスベルトの温度は１０℃とした。剥離時の残留溶媒量は１００質量％であった。
８０℃に設定された第１乾燥ゾーンを５分間搬送させた後、さらに１２０℃に設定された第２乾燥ゾーンで１０分間搬送させて、乾燥を行った。乾燥後、ロール状に巻き取ることで、フィルム幅１．５ｍ、巻長２０００ｍ、膜厚１００μｍのセルロース系フィルム１を得た。なお、巻き取り時の残留溶媒量は０．３％であった。
【００５１】
［フィルム２の作製］
乾燥後膜厚が１２０μｍとなるようにエンドレスステンレスベルト（支持体）上に均一に流延した以外は、フィルム１と同様の方法により、フィルム幅１．５ｍ、巻長２０００ｍ、膜厚１２０μｍのセルロース系フィルム２を得た。
【００５２】
［フィルム３］
ＡＧＣグリーンテック社製の製品名「エフクリーン（登録商標）自然光流滴」をフッ素系フィルム３として用いた。
【００５３】
作製または市販品を使用した各フィルムの透湿度および光線透過率について、以下に示す方法により測定ないし評価した。これらの結果を下記表１に示す。
【００５４】
＜透湿度＞
各フィルムについて、ＪＩＳ Ｚ ０２０８：１９７６の「防湿包装材料の透湿度試験方法（カップ法）」に記載された手法に従い、温度４０℃、相対湿度９０％の条件下で２４時間に通過した水蒸気の量（ｇ／ｍ2／２４ｈ）を測定した。
【００５５】
＜光線透過率＞
各フィルムについて、分光光度計（ジャスコエンジニアリング製：Ｖ−５６０）を用いて、５５５ｎｍの光の透過率を測定した。
【００５６】
［実施例１〜３および比較例１〜２］
＜農業ハウスの作製＞
南足柄市宮台にて、６ｍ×９ｍ×（高さ）４ｍの骨組みを建て、下記表１に示すフィルムを躯体に展張することにより、農業ハウスを作製した。
また、作製した農業ハウス内の天井に、細霧冷却装置（エアクールＡＣ４５４３、フルタ電気社製）を吊り下げて固定した。
また、温湿度計を作製した農業ハウス内の中央の地上から１．５ｍの位置に取り付け、噴霧量を測定する水量計を細霧冷却装置の入水口の直前に設置した。
【００５７】
＜植物の生育＞
２０１４年７月に、作製した農業ハウス内で、大玉トマト（ミソラ）３８株、中玉トマト（フルティカ）３５株、ミニトマト（ファブリーサクラ）７０株を生育した。
２０１４年７月の晴天時の正午（１２時）に、下記表１に示す細霧噴霧量となるように細霧冷却装置を稼働させ、２時間経過した１４時のハウス内の温度、相対湿度、結露の有無を確認した。また、１４時のハウス外の温度および相対湿度を下記表１に示す。
なお、実施例１〜３および比較例１〜２においては、細霧冷却は稼働時に換気を行わずに実施し、後述する比較例３においては換気を行って実施した。
【００５８】
［比較例３］
７：００〜１７：００の間、ハウス側面のフィルム（９ｍ×１．５ｍ）を両側とも巻き上げ、換気を行った以外は、比較例１と同様の条件で、細霧冷却を行い、生育した。
なお、フィルムを巻き上げた開口部には、防虫用メッシュを装着したが、生育中のトマトにはタバココナジラミやハモグリバエなどによる虫害が認められた。
【００５９】
【表１】
0006316183.tif 000003
【００６０】
表１に示すように、実施例１および２と比較例１との対比から、細霧冷却による噴霧量が同じ量であっても、セルロースアシレート樹脂を含有し、透湿度が６００ｇ／ｍ2／２４ｈ以上であり、厚みが８０〜２００μｍのセルロースフィルムを用いた農業ハウスは、ハウス内の温度および相対湿度を低くすることができ、細霧中の結露の発生を抑制できることが分かった。
同様に、実施例３と比較例２との対比から、細霧冷却による噴霧量が同じ量であっても、透湿度が６００ｇ／ｍ2／２４ｈ以上であり、厚みが８０〜２００μｍのセルロースフィルムを用いた農業ハウスは、ハウス内の温度および相対湿度を低くすることができ、細霧中の結露の発生を抑制できることが分かった。
一方、細霧冷却中の結露を抑制し、湿度を低下させるために換気を行った比較例３では、上述したように、生育中のトマトにはタバココナジラミやハモグリバエなどによる虫害が認められた。
以上の結果から、セルロースアシレート樹脂を含有し、透湿度が６００ｇ／ｍ2／２４ｈ以上であり、厚みが８０〜２００μｍのセルロースフィルムを用いた農業ハウスは、換気手段を必要とせず、病虫害の流入を抑制することができることが分かった。
【００６１】
また、実施例１および２ならびに比較例１で作製した農業ハウスについて、細霧冷却を施さない夜間から早朝までの結露の有無を観察した。
その結果、比較例１で作製した農業ハウスについては結露が生じることが確認できたが、実施例１および２で作製した農業ハウスについては結露が生じないことが確認できた。
そのため、セルロースアシレート樹脂を含有し、透湿度が６００ｇ／ｍ2／２４ｈ以上であり、厚みが８０〜２００μｍのセルロースフィルムを用いた農業ハウスは、換気手段を必要とせず、病虫害の流入を抑制できるだけでなく、細霧冷却を施さない時間帯についても有用であることが分かった。
【００６２】
実施例１および比較例１と同様に作製した農業ハウスについて、２０１４年７月２０日から７月２５日までのハウス内の二酸化炭素濃度と外気の二酸化炭素濃度を測定した。その結果を図３に示す。なお、細霧冷却装置の稼働条件は、７時から１７時までの１０時間とし、噴霧量は１４ｇ／ｍ2・分で行った。
図３に示す結果から、実施例１で作製した農業ハウスは、植物が光合成する日中においても外気と同程度の二酸化炭素濃度が保持できることが分かった。
そのため、セルロースアシレート樹脂を含有し、透湿度が６００ｇ／ｍ2／２４ｈ以上であり、厚みが８０〜２００μｍのセルロースフィルムを用いた農業ハウスは、換気手段を必要とせず、病虫害の流入を抑制できるだけでなく、二酸化炭素濃度を外気と同程度に維持できるという効果を有することが分かった。
【符号の説明】
【００６３】
１  フィルム
２  躯体
３  噴霧装置
４  給水タンク
１０  農業ハウス
【図１】
0006316183.tif 000004
【図２】
0006316183.tif 000005
【図３】
0006316183.tif 000006